(57)【要約】【課題】地震等の揺れにより家具等が転倒することのない建物の壁面等に家具等を固定する家具転倒防止具を提供する【解決手段】支持体取付板部１と家具取付板部２との各連結端部１１、２１に多数の小孔１１ａ、２１ａを配設して両連結端部１１、２１の多数の小孔１１ａ、２１ａにコイルばね３の鋼線部３１を挿通して該コイルばね３により前記支持体取付板部１と家具取付板部２とを蝶番連結する。また、支持体取付板部１の連結端部１１を取付面１ａとは反対側に張出し、また、家具取付板部２も連結端部２１を取付面１ａとは反対側に張出させることが好ましい。【選択図】  図１
2008048765.tif 000002
【特許請求の範囲】
【請求項１】
支持体取付板部と家具取付板部との各連結端部に多数の小孔を配設して両連結端部の多数の小孔にコイルばねの鋼線部を挿通して該コイルばねにより前記支持体取付板部と家具取付板部とを蝶番連結したことを特徴とする家具転倒防止具。
【請求項２】
支持体取付板部の連結端部を取付面とは反対側に張出し、また、家具取付板部も連結端部を取付面とは反対側に張出させた請求項１に記載の家具転倒防止具。
【請求項３】
支持体取付板部と家具取付板部との取付面に表面に剥離紙で覆った粘弾性材を貼着した請求項１又は２に記載の家具転倒防止具。
【請求項４】
支持体取付板部と家具取付板部とに取付用くぎ類挿通用の孔を設けた請求項１又は２に記載の家具転倒防止具。
【請求項５】
支持体取付板部と家具取付板部との取付面に表面に剥離紙で覆った粘弾性材を貼着するとともに支持体取付板部と家具取付板部とに取付用くぎ類挿通用の孔を設けた請求項１又は２に記載の家具転倒防止具。
【発明の詳細な説明】
【技術分野】
【０００１】
本発明は、地震時の揺れにより家具、家電製品が転倒することを防止するため建物の壁面等に家具等を固定する家具転倒防止具に関するものである。
【背景技術】
【０００２】
建物の壁面等に家具等を固定する家具転倒防止具としては、一枚の平面板をＬ字状に折曲して一方の折曲板部を建物の壁面に取り付ける取付板部に形成して他方の折曲板部を家具等に取り付ける取付板部に形成したもの（例えば、特許文献１（図７）参照）や、建物の壁面に取り付ける取付板部と家具等に取り付ける取付板部を蝶番で連結したものがある（例えば、特許文献１（図１、図３）参照）。
【０００３】
ところが、これらのうち前者は建物の壁面と床面が歪んでいる場合には、壁面に取り付ける取付板部と家具等に取り付ける取付板部の取付面が壁面と家具に蜜着せず壁面への家具の固定が不完全なものとなる問題がある。また、後者にあっては、前記のような問題はないが、地震等の揺れによる力がそのまま家具転倒防止具に作用するため限界を超えた力が瞬時に加わると家具転倒防止具が外れて家具が転倒することとなる。
【特許文献１】実開昭５５４−１７１２４６公開公報（特に、図１、図３及び図７参照）
【発明の開示】
【発明が解決しようとする課題】
【０００４】
本発明は前記のような従来の問題点を解決して、地震等の揺れにより家具等が転倒することのない建物の壁面等に家具等を固定する家具転倒防止具を提供することである。
【課題を解決するための手段】
【０００５】
本発明の家具転倒防止具は、支持体取付板部と家具取付板部との各連結端部に多数の小孔を配設して両連結端部の多数の小孔にコイルばねの鋼線部を挿通して該コイルばねにより前記支持体取付板部と家具取付板部とを蝶番連結したことを特徴とするものを基本の発明とする。そして、この発明において、支持体取付板部の連結端部を取付面とは反対側に張出し、また、家具取付板部も連結端部を取付面とは反対側に張出することが好ましい。
【０００６】
また、支持体取付板部と家具取付板部との取付面に表面に剥離紙を覆った粘弾性材を貼着したものとしても、支持体取付板部と家具取付板部とに取付用くぎ類挿通用の孔を設けても、さらに、支持体取付板部と家具取付板部との取付面に表面に剥離紙を覆った粘弾性材を貼着するとともに支持体取付板部と家具取付板部とに取付用くぎ類挿通用の孔を設けたものとしてもよい。
【発明の効果】
【０００７】
前記した本発明の家具転倒防止具は、コイルばねにより支持体取付板部と家具取付板部とを蝶番連結したものであるので、建物の壁面と床面が歪んでいても、支持体取付板部と家具取付板部は角度を任意にとることができるので、それぞれの取付面を壁面と家具に蜜着させて固定できるものである。
【０００８】
また、コイルばねは支持体取付板部と家具取付板部とのそれぞれの連結端部に配設した多数の小孔に該コイルばねの鋼線部を挿通して蝶番としたものであるので、支持体取付板部と家具取付板部とはコイルばねの持つ弾性による撓みにより緩衝されるので地震時の揺れにより壁面や家具に瞬間的に大きな力が直接に加わらず家具の転倒を防止できるものである。また、コイルばねに対する力は多数の小孔の孔縁に分散されるので、小孔が破損したりコイルばねが切断する虞のないものである。例え万一小孔のうち数個が破損したりコイルばねが切断しても他の小孔と切断されて分離したコイルばねにより的確に蝶番連結を保持するので家具の転倒を防止できるものである。
【０００９】
また、支持体取付板部の連結端部を取付面とは反対側に張出させ、また、家具取付板部も連結端部を取付面とは反対側に張出させすることによりコイルばねの周縁が壁面や家具に接触することがなく、取付が容易なものとなる。
【００１０】
そして、支持体取付板部と家具取付板部との取付面に表面に剥離紙を覆った粘弾性材を貼着したものとすれば、剥離紙を取り除いて壁面、家具に固定することができるものであり釘の利かない壁面、家具にも使用できるものである。さらに、粘弾性材は振動を吸収できるものであるから、前記コイルばねの緩衝力と相俟って家具の転倒を防止できるものである。
【００１１】
また、支持体取付板部と家具取付板部とに取付用くぎ類挿通用の孔を設けたものとするとねじくぎ等のくぎ類で固定できるものであり、粘弾性材が貼着しずらい祖面の壁面であっても使用できるものである。さらに、支持体取付板部と家具取付板部との取付面に表面に剥離紙を覆った粘弾性材を貼着するとともに支持体取付板部と家具取付板部とに取付用くぎ類挿通用の孔を設けたものとすれば、粘弾性材とくぎ類の長所を併せ持った固定ができる。
【発明を実施するための最良の形態】
【００１２】
次に、本発明の好ましい実施の形態を図に基づき説明する。
図１において、１は支持体である建物の壁面（イ）に取り付ける鋼板よりなる平板状の支持体取付板部、２は家具（ロ）等に取り付ける鋼板よりなる平板状の家具取付板部である。前記支持体取付板部１と家具取付板部２とはそれぞれの連結端部１１、２１に多数の小孔１１ａ、２１ａを配設して該多数の小孔１１ａ、２１ａにコイルばね３の鋼線部３１を挿通して該コイルばね３により蝶番連結されている。
【００１３】
また、支持体取付板部１の連結端部１１を取付面１ａとは反対側に張出して多数の小孔１１を配設している。また、家具取付板部２も端部に連結端部２１を取付面２ａとは反対側に張出させて設けている。
【００１４】
また、支持体取付板部１と家具取付板部２との取付面１ａ、２ａに表面に剥離紙４で覆った粘弾性材５を貼着している。なお、粘弾性材５としては、粘着性と弾性を持つゲル状エラストマー製マットよりなるものが好ましいが、柔弾性のあるゴム、合成樹脂製のマットの両面に粘着剤を設けたものであってもよい。
【００１５】
このように構成されたものは、コイルばね３により支持体取付板部１と家具取付板部２とを蝶番連結したものであるので、建物の壁面と床面が歪んでいても、支持体取付板部１と家具取付板部２は角度を任意にとることができるので、それぞれの取付面１ａ、２ａを壁面（イ）と家具（ロ）に蜜着させて固定できるものである。
【００１６】
また、コイルばね３は支持体取付板部１と家具取付板部２とのそれぞれの連結端部１１、２１に配設した多数の小孔１１ａ、２１ａに該コイルばね３の鋼線部３１を挿通して蝶番としたものであるので、支持体取付板部１と家具取付板部２とはコイルばね３の持つ弾性による撓みにより緩衝されるので地震時の揺れにより壁面（イ）や家具（ロ）に瞬間的に大きな力は加わらず家具（ロ）の転倒を防止できるものである。また、コイルばね３に加わる過重は多数の小孔１１ａ、２１ａの孔縁に分散されるので、小孔１１ａ、２１ａが破損したりコイルばね３が切断する虞のないものである。例え万一小孔１１ａ、２１ａのうち数個が破損したりコイルばね３が切断しても他の小孔１１ａ、２１ａと切断されて分離したコイルばね３により的確に蝶番連結を保持するので家具（ロ）の転倒を防止できるものである。
【００１７】
また、支持体取付板部１の連結端部１１を取付面１ａとは反対側に張出させ、また、家具取付板部２も連結端部２１を取付面２ａとは反対側に張出させているので、コイルばね３の周縁が壁面（イ）や家具（ロ）に接触することがなく、取付が容易なものとなるうえコイルばね３にストレスが掛からず劣化を防止できるものである。
【００１８】
そして、支持体取付板部１と家具取付板部２との取付面１ａ、２ａに表面を剥離紙４で覆った粘弾性材５を貼着したものとすれば、剥離紙４を取り除いて壁面（イ）、家具（ロ）に固定することができるものであり釘の利かない壁面、家具にも使用できるものである。さらに、粘弾性材５は振動を吸収できるものであるから、前記コイルばね３の緩衝力と相俟って家具の転倒をより防止できるものである。
【００１９】
なお、図３に示す実施形態の他例１のように支持体取付板部１と家具取付板部２とに取付用くぎ類挿通用の孔６を設けておけば、ねじくぎ等のくぎ類で固定できるものであり、粘弾性材が貼着しずらい祖面の壁面であっても使用できるものである。さらには、図４に示す実施形態の他例２のように支持体取付板部１と家具取付板部２との取付面１ａ、２ａに表面に剥離紙４を覆った粘弾性材５を貼着するとともに支持体取付板部１と家具取付板部２とに取付用くぎ類挿通用の孔６を設けたものとすれば、粘弾性材とくぎ類の長所を併せ持った固定ができるものである。
【図面の簡単な説明】
【００２０】
【図１】実施形態を示す一部切欠斜視図。
【図２】本発明の使用状態を示す斜視図。
【図３】実施形態の他例１を示す一部切欠斜視図。
【図４】実施形態の他例２を示す一部切欠斜視図。
【符号の説明】
【００２１】
１  支持体取付板部
11  連結端部
11a  小孔
1a  取付面
２  家具取付板部
21  連結端部
21a  小孔
2a  取付面
３  コイルばね
４  剥離紙
５  粘弾性材
６  取付用くぎ類挿通用の孔
【図１】
2008048765.tif 000003
【図２】
2008048765.tif 000004
【図３】
2008048765.tif 000005
【図４】
2008048765.tif 000006
【手続補正書】
【提出日】平成19年9月4日(2007.9.4)
【手続補正１】
【補正対象書類名】明細書
【補正対象項目名】０００３
【補正方法】変更
【補正の内容】
【０００３】
ところが、これらのうち前者は建物の壁面と床面が歪んでいる場合には、壁面に取り付ける取付板部と家具等に取り付ける取付板部の取付面が壁面と家具に蜜着せず壁面への家具の固定が不完全なものとなる問題がある。また、後者にあっては、前記のような問題はないが、地震等の揺れによる力がそのまま家具転倒防止具に作用するため限界を超えた力が瞬時に加わると家具転倒防止具が外れて家具が転倒することとなる。
【特許文献１】実開昭５５−１７１２４６公開公報（特に、図１、図３及び図７参照）